(57)【要約】【課題】    使用する際に接続方向を意識することなく接続することができる電気掃除機の接続パイプを提供すること。【解決手段】電気掃除機１０の集塵ホース１２の先端部に、直接接続することのできない径寸法の接続部１５を有する隙間ノズル（吸込具）１４を接続するための電気掃除機の接続パイプ２０であって、接続パイプ２０の両端部２１、２２の外周面及び内周面に、それぞれテーパ２３、２４を設けると共に、両端部の２１、２２の外径ＫＧ１、ＫＧ２を同一寸法とし、且つ、両端部２１、２２の内径ＫＮ１、ＫＮ２を同一寸法とした。【選択図】  図２
2006239111.tif 000002
【特許請求の範囲】
【請求項１】
電気掃除機の集塵ホース又は延長管の先端部に、直接接続することのできない径寸法の接続部を有する吸込具を接続するための電気掃除機の接続パイプであって、
前記接続パイプの両端部の外周面及び内周面に、それぞれテーパを設けると共に、前記両端部の外径を同一寸法とし、且つ、前記両端部の内径を同一寸法としたことを特徴とする電気掃除機の接続パイプ。
【発明の詳細な説明】
【技術分野】
【０００１】
本発明は、集塵ホース又は延長管と接続部が合わない吸込具とを接続する電気掃除機の接続パイプに関するものである。
【背景技術】
【０００２】
集塵ホースや延長管と吸込具とを接続する際に、吸込具の接続部の外径が集塵ホースや延長管の先端部に直接差し込んで接続することができない径寸法の場合、接続パイプを介して接続している（特許文献１参照）。
【０００３】
この接続パイプ１は、図３に示すように、一方の端部２の外周面にテーパが設けられると共に、外径Ｋ１が集塵ホース又は延長管の先端部４の内側に差し込み接続できる寸法に形成されている。そして、他方の端部３の内周面にテーパが設けられると共に、内径Ｋ２が内側に吸込具の接続部５を差し込み接続できる寸法に形成されている。
【特許文献１】特開２００４−２２９９９４
【発明の開示】
【発明が解決しようとする課題】
【０００４】
ところで、上述の接続パイプ１では、一方の端部２の内径Ｋ３が外径Ｋ１の寸法に応じて大きくなり、他方の端部３の外径Ｋ４が内径Ｋ２の寸法に応じて小さくなっている。
【０００５】
そのため、接続パイプ１の接続方向が決まってしまい、使用する際に接続方向を確かめなければならないという問題が生じていた。
【０００６】
そこで、この発明は、使用する際に接続方向を意識することなく接続することができる電気掃除機の接続パイプを提供することを課題としている。
【課題を解決するための手段】
【０００７】
上記課題を解決するために、この発明は、電気掃除機の集塵ホース又は延長管の先端部に、直接接続することのできない径寸法の接続部を有する吸込具を接続するための電気掃除機の接続パイプであって、前記接続パイプの両端部の外周面及び内周面に、それぞれテーパを設けると共に、前記両端部の外径を同一寸法とし、且つ、前記両端部の内径を同一寸法としたことを特徴としている。
【発明の効果】
【０００８】
本発明の電気掃除機の接続パイプによれば、この接続パイプの両端部のいずれであっても集塵ホース又は延長管の先端部の内側に差し込み接続できると共に、両端部のいずれであっても内側に吸込具の接続部を差し込み接続できる。
【０００９】
そのため、接続パイプの接続方向を意識することなく容易に接続することができ、使い勝手を向上させることができる。
【発明を実施するための最良の形態】
【００１０】
次に、図面に基づいて、この発明を実施するための最良の形態の電気掃除機を説明する。
【００１１】
図１に示す電気掃除機１０は、掃除機本体１１と、この掃除機本体１１の前部に形成されたホース接続口１１ａに一端が着脱可能に接続された集塵ホース１２と、この集塵ホース１２の先端部に固定された手元操作パイプ１３と、この手元操作パイプ１３の先端部に接続パイプ２０を介して着脱自在に接続された隙間ノズル（吸込具）１４とを備えている。
【００１２】
手元操作パイプ１３は、集塵ホース１２の先端部と一体になっており、先端部にはパイプ接続部１３ａが形成されている。
【００１３】
このパイプ接続部１３ａは、内周面にパイプテーパ１３ｂが形成されており、先端から次第に縮径するように傾斜している。
【００１４】
隙間ノズル１４は、いわゆるつる口ノズルであり、両端が開口した管体で先端に向って次第に細くなっている。そして、他端にはノズル接続部１５が形成されている。
【００１５】
このノズル接続部１５は、外周面にノズルテーパ１５ａが形成されており、先端から次第に拡径するように傾斜している。
【００１６】
ここで、ノズル接続部１５の外径は、パイプ接続部１３ａ内に差し込み接続可能な寸法（以下、パイプ嵌入寸法という）ＫＥ（図２（ｂ）参照）よりも十分に小さな寸法となっている。
【００１７】
つまり、パイプ接続部１３ａの内径は、ノズル接続部１５を差し込み接続可能な寸法（以下、ノズル嵌入寸法という）ＫＳ（図２（ｂ）参照）よりも十分に大きな寸法となっている。
【００１８】
なお、このパイプ嵌入寸法ＫＥとは、パイプテーパ１３ｂに沿ってパイプ接続部１３ａ内に一定距離挿入できると共に、このパイプ接続部１３ａの内周面に密着して容易に抜けなくなる寸法である。
【００１９】
また、ノズル嵌入寸法ＫＳとは、ノズルテーパ１５ａに沿ってノズル接続部１５が一定距離挿入できると共に、このノズル接続部１５の外周面が密着して容易に抜けなくなる寸法である。
【００２０】
このように、パイプ嵌入寸法ＫＥとノズル嵌入寸法ＫＳとは、直接差し込み接続できない寸法関係となっている。
【００２１】
接続パイプ２０は、図２（ａ）、（ｂ）に示すように、両端が開口した管体であり、両端部２１、２２のそれぞれの外径ＫＧ１、ＫＧ２が互いに同一寸法となると共に、両端部２１、２２のそれぞれの内径ＫＮ１、ＫＮ２が互いに同一寸法となっている。なお、この外径ＫＧ１、ＫＧ２及び内径ＫＮ１、ＫＮ２とは、それぞれ開口端から等距離部位の寸法である。
【００２２】
つまり、この接続パイプ２０の両端部２１、２２のそれぞれの外径ＫＧ１、ＫＧ２及び内径ＫＮ１、ＫＮ２は、以下の式（１）、（２）の関係となっている。
【００２３】
ＫＧ１＝ＫＧ２          ・・・式（１）
ＫＮ１＝ＫＮ２          ・・・式（２）
そして、この接続パイプ２０の両端部２１、２２には、それぞれ外周面に外テーパ２３が形成されると共に、内周面に内テーパ２４が形成されている。
【００２４】
ここで、外テーパ２３は、端部から次第に拡径する傾斜面であり、内テーパ２４は、端部から次第に縮径する傾斜面となっている。さらに、中間部は直線状に延びる直管体となっている。
【００２５】
また、この接続パイプ２０は、外テーパ２３がパイプテーパ１３ｂに合致する形状となっていると共に、両端部２１、２２の外径ＫＧ１、ＫＧ２がパイプ嵌入寸法ＫＥとなっている。
【００２６】
さらに、この接続パイプ２０は、内テーパ２４がノズルテーパ１５ａに合致する形状となっていると共に、両端部２１、２２の内径ＫＮ１、ＫＮ２がノズル嵌入寸法ＫＳとなっている。
【００２７】
次に、この発明の電気掃除機１０の作用について説明する。
【００２８】
この電気掃除機１０を使用するには、まず、接続パイプ２０を手元操作パイプ１３の先端部に形成されたパイプ接続部１３ａの内側に差し込み接続する。
【００２９】
このとき、接続パイプ２０の両端部２１、２２の外径ＫＧ１、ＫＧ２が互いに同一寸法になっているので、両端部２１、２２のうちいずれであってもパイプ接続部１３ａの内側に挿入することができる。
【００３０】
また、この外径ＫＧ１、ＫＧ２がパイプ嵌入寸法ＫＥとなっているため、両端部２１、２２のうちいずれであっても、接続パイプ２０をパイプテーパ１３ｂに沿って挿入していくと、所定距離挿入した時点でパイプテーパ１３ｂに接続パイプ２０の外テーパ２３が合致する。
【００３１】
これにより、この接続パイプ２０の外周面がパイプ接続部１３ａの内周面に密着し、接続パイプ２０が容易に抜け外れしなくなって差し込み接続することができる。
【００３２】
次に、手元操作パイプ１３に一端部（ここでは端部２１）が差し込み接続された接続パイプ２０の他端部（ここでは端部２２）の内側に、隙間ノズル１４のノズル接続部１５を差し込み接続する。
【００３３】
このとき、接続パイプ２０の両端部２１、２２の内径ＫＮ１、ＫＮ２が互いに同一寸法になっているので、両端部２１、２２のうちいずれであってもノズル接続部１５を内側に挿入することができる。
【００３４】
また、この内径ＫＮ１、ＫＮ２がノズル嵌入寸法ＫＳとなっているため、両端部２１、２２のうちいずれであっても、ノズル接続部１５を内テーパ２４に沿って挿入していくと、所定距離挿入した時点で内テーパ２４にノズル接続部１５のノズルテーパ１５ａが合致する。
【００３５】
これにより、このノズル接続部１５の外周面が接続パイプ２０の内周面に密着し、隙間ノズル１４が容易に抜け外れしなくなって差し込み接続することができる。
【００３６】
なお、上述の場合では、接続パイプ２０の一端部２１が手元操作パイプ１３のパイプ接続部１３ａの内側に差し込み接続され、接続パイプ２０の他端部２２の内側に隙間ノズル１４のノズル接側部１５が差し込み接続されている。
【００３７】
しかし、接続パイプ２０の両端部２１、２２の外径ＫＧ１、ＫＧ２及び内径ＫＮ１、ＫＮ２がそれぞれ互いに同一寸法となっているので、接続パイプ２０の他端部２２を手元操作パイプ１３のパイプ接続部１３ａの内側に差し込み接続し、接続パイプ２０の一端部２１の内側に隙間ノズル１４のノズル接側部１５を差し込み接続してもよい。
【００３８】
つまり、接続パイプ２０の両端部２１、２２が逆転しても、この接続パイプ２０を介して手元操作パイプ１３と隙間ノズル１４とを接続することができる。
【００３９】
これにより、接続パイプ２０の方向性を意識することなく手元操作パイプ１３や隙間ノズル１４を差し込み接続することができ、使い勝手を向上させることが可能となる。
【００４０】
以上、この発明にかかる実施の形態を図面により詳述してきたが、具体的な構成は上述の実施の形態に限らない。この発明の要旨を逸脱しない範囲の設計の変更等はこの発明に含まれる。
【００４１】
例えば、上述の実施の形態では、吸込具として隙間ノズル１４を使用しているが、これに限らず、接続部の径寸法が手元操作パイプ１３に直接差し込み接続できない丸ブラシや床ブラシ（吸込口体）等の掃除専用ブラシであってもよい。
【００４２】
また、上述の実施の形態では、集塵ホース１２の先端部に固定された手元操作パイプ１３に接続パイプ２０を接続しているが、これに限らず、集塵ホースに接続パイプを直接接続してもよいし、集塵ホースに接続された延長管の先端部に接続パイプを接続してもよい。
【００４３】
この場合であっても、この発明の接続パイプ２０を使用すれば、接続方向を意識することなく接続部が直接接続できない径寸法の吸込具を集塵ホース等に接続することができて、使い勝手の向上を図ることが可能となる。
【図面の簡単な説明】
【００４４】
【図１】この発明に係る電気掃除機の接続パイプを使用した電気掃除機の全体を示す一部を破断した斜視図である。
【図２】（ａ）は接続パイプの横断面図であり、（ｂ）は接続パイプを介して手元操作パイプと隙間ノズルとを接続した状態の横断面図である。
【図３】従来の接続パイプを介して集塵ホースと吸込具とを接続した状態の横断面図である。
【符号の説明】
【００４５】
１０                電気掃除機
１２                集塵ホース
１４                吸込具（隙間ノズル）
１５                接続部
２０                接続パイプ
２１、２２          端部
ＫＧ１、ＫＧ２          外径
ＫＮ１、ＫＮ２          内径
【図１】
2006239111.tif 000003
【図２】
2006239111.tif 000004
【図３】
2006239111.tif 000005